(57)【特許請求の範囲】
【請求項１】
ケースと、このケースの上面に取付けられたガラスカバーと、複数のイメージセンサチップが搭載されたヘッド基板と、上記ガラスカバー上の原稿を照明するための複数の発光素子と、上記ガラスカバー上の原稿からの反射光を上記複数のイメージセンサチップに集束させるためのロッドレンズアレイとを備える密着型イメージセンサであって、
上記ケース内には、上記発光素子の発する光を上記ガラスカバーの所定領域に効率的に照射するための導光部材がさらに設けられており、
上記ロッドレンズアレイは、その両端上面が上記導光部材の両端部に形成した押圧片によって押圧されていることを特徴とする、密着型イメージセンサ。
【請求項２】
上記ロッドレンズアレイは、上記ケース内に形成された溝状ホルダ部に上方から挿入保持されているとともに、両端上面が上記導光部材の両端部に形成した押圧片によって押圧されている、請求項１に記載した密着型イメージセンサ。
【請求項３】
上記溝状ホルダ部には、上記ロッドレンズアレイの長手方向中間部上面の縁に係合する突起が形成されている、請求項２に記載の密着型イメージセンサ。
【請求項４】
上記導光部材は、これに設けた突起または凹部が、上記ケースの内面に設けた凹部または突起に係合することにより、上記ケース内に抜け止め保持されている、請求項１ないし３のいずれかに記載の密着型イメージセンサ。
【請求項５】
上記ヘッド基板にはまた、上記複数の発光素子が搭載されている、請求項１ないし４のいずれかに記載の密着型イメージセンサ。
【請求項６】
上記ヘッド基板は、上記ケースの下面に添着された状態において、止め金具によってケースに固定されている、請求項５に記載の密着型イメージセンサ。
【発明の詳細な説明】
【０００１】
【発明の属する技術分野】
本願発明は、ファクシミリ装置の画像読み取り部やイメージスキャナ装置に用いられる密着型イメージセンサに関する。
【０００２】
【従来の技術】
従来のこの種の密着型イメージセンサ１０の一般的構成を図７に示す。
【０００３】
樹脂等でできたケース１１の底面に配置した基板１２には、読み取り幅と対応した長さ範囲に複数個のイメージセンサチップ１３が取付けられている。ケース１１の上面には、透明なカバーガラス１４が取付けられ、このカバーガラス１４に設定した読み取りラインＬと上記イメージセンサチップ１３との間には、上記読み取りラインＬに沿う明暗画像を正立等倍にイメージセンサチップ列上に集束させるためのロッドレンズアレイ１５が配置されている。ケース１１の内部空間にはまた、上記カバーガラス１４の裏側から原稿Ｄを照明するための光源としての複数個のＬＥＤ１６が、基板１７に搭載された恰好で配置されている。上記ロッドレンズアレイ１５は、ケース１１の内部に設定された溝状ホルダ部１８に嵌合保持されている。
【０００４】
【発明が解決しようとする課題】
ところで、上記密着イメージセンサ１０は、上述のように種々の部品が組み合わされて構成されているが、従来、これらの部品は、次のようにして組み立てられていた。すなわち、上記ケース１１に対して、ガラスカバー１４および基板１２，１７は接着によって固定され、上記ロッドレンズアレイ１５もまた、上記溝状ホルダ部１８に嵌合保持させた状態において、接着によって固定されていた。
【０００５】
したがって、上記密着イメージセンサ１０の組立てには、接着剤の塗布工程を含む多くの工程を必要とし、組立てコストが高くなるとともに、各部品を固定するための接着剤の固化時間を必要とするなど、組立て時間効率においても、不利であった。
【０００６】
本願発明は、このような事情のもとで考え出されたものであって、より組立て工数が削減でき、しかも、簡便な組立てが可能な密着型イメージセンサを提供することをその課題としている。
【０００７】
【発明の開示】
上記の課題を解決するため、本願発明では、次の技術的手段を採用した。
【０００８】
すなわち、本願発明に係る密着型イメージセンサは、ケースと、このケースの上面に取付けられたガラスカバーと、複数のイメージセンサチップが搭載されたヘッド基板と、上記ガラスカバー上の原稿を照明するための複数の発光素子と、上記ガラスカバー上の原稿からの反射光を上記複数のイメージセンサチップに集束させるためのロッドレンズアレイとを備える密着型イメージセンサであって、上記ケース内には、上記発光素子の発する光を上記ガラスカバーの所定領域に効率的に照射するための導光部材がさらに設けられており、上記ロッドレンズアレイは、その両端上面が上記導光部材の両端部に形成した押圧片によって押圧されていることを特徴としている。
【０００９】
好ましい実施形態においては、上記ロッドレンズアレイは、上記ケース内に形成された溝状ホルダ部に上方から挿入保持されているとともに、両端上面が上記導光部材の両端部に形成した押圧片によって押圧されている。
【００１０】
上記の構成によれば、ロッドレンズアレイは、ケース内に形成された溝状ホルダ部に保持された状態において、その長手方向両端が導光部材の両端部に形成した押圧片によって押圧保持されるので、従来のようにこのロッドレンズアレイを接着剤で固定する必要なく、ケース内の適正位置に組み込まれる。したがって、接着剤の塗布工程が不要となることから、組立て工数が削減され、密着型イメージセンサを簡便に組み立てることができるようになる。
【００１１】
好ましい実施形態においては、上記溝状ホルダ部には、上記ロッドレンズアレイの長手方向中間部上面の縁に係合する突起が形成されている。
【００１２】
このような構成によれば、たとえば、読み取り長が長い密着型イメージセンサを構成する場合、ロッドレンズアレイの中間部が上記ケースの溝状ホルダに形成した突起によって押圧保持され、両端部が上記導光部材の押圧片によって押圧保持されるので、このロッドレンズアレイが、その全長にわたって、ケース内の所定位置に安定的に保持されるようになる。
【００１３】
好ましい実施形態においてはさらに、上記導光部材は、これに設けた突起または凹部が、上記ケースの内面に設けた凹部または突起に係合することにより、上記ケース内に抜け止め保持されている。
【００１４】
このような構成によれば、上記のようにロッドレンズアレイのみならず、導光部材もまた、接着等の別途の固定手段を要することなく、ケース内に適正に固定保持されるので、全体として、この密着型イメージセンサの組立てが、さらに簡便になる。
【００１５】
好ましい実施形態においては、上記のように複数のイメージセンサチップが搭載されるヘッド基板と同一のヘッド基板上に、上記ガラスカバー上の原稿を照明するための複数の発光素子が搭載されている。
【００１６】
このような構成によれば、発光素子を搭載するための基板が不要となり、全体として部品点数を削減することができるので、このことが密着型イメージセンサのコストダウンおよび組立て工数の削減に寄与する。
【００１７】
好ましい実施形態においてはさらに、上記ヘッド基板は、上記ケースの下面に添着された状態において、止め金具によってケースに固定されている。
【００１８】
すなわち、この構成においては、ヘッド基板もまた、接着やねじ等の煩雑な操作を必要とする固定手段を要することなく、簡便な操作によってケースの下面に固定される。したがって、全体として、密着型イメージセンサの組立てが、より簡便になる。
【００１９】
本願発明のその他の特徴および利点は、図面を参照して以下に行う詳細な説明から、より明らかとなろう。
【００２０】
【発明の実施の形態】
以下、本願発明の好ましい実施形態を、図面を参照して具体的に説明する。
【００２１】
図１は、本願発明に係る密着型イメージセンサ２０の構成部品を分解した状態で示す斜視図、図２は平面図、図３は図２のIII −III 線断面図、図４は図２のIV−IV線断面図、図５は図２のＶ−Ｖ線断面図である。
【００２２】
この密着型イメージセンサ２０は、略矩形状の断面形状と、所定の長手寸法を有するケース２１を有しており、このケース２１は、樹脂成形によって作製することができる。このケース２１は、図３に良く表れているように、上下に貫通する内部空間をもち、上部開口を封鎖するようにしてガラスカバー２２が取付けられているとともに、下部開口を封鎖するようにして、ヘッド基板２３が取付けられている。このヘッド基板２３の上面における幅方向一側寄りには、複数個のイメージセンサチップ２４が取付けられており、幅方向他側寄りには、照明光源としての複数個のＬＥＤチップ２５が取付けられている。そして、このケース２１の内部空間には、上記ＬＥＤチップ２５からの光を効率的に上記ガラスカバー２２上の原稿Ｄに照射するための透明樹脂製の導光部材２６と、原稿面からの反射光を正立等倍に上記イメージセンサチップ２４に集束させるためのロッドレンズアレイ２７が設けられている。
【００２３】
上記ロッドレンズアレイ２７は、ケース２１内に形成した溝状ホルダ部２８に上方から挿入するようにして保持されている。溝状ホルダ部２８は、ロッドレンズアレイ２７の平面形態と対応した凹陥溝２９を有しており、その底部には、ロッドレンズアレイ２７を透過した光を通過させてその下方に配置される複数のイメージセンサチップ２４上に至らせるためのスリット３０が形成されている。
【００２４】
図３に表れているように、この溝状ホルダ部２８の長手方向中間部における内壁には、上記ロッドレンズアレイ２７の上面の一側縁に係合して、このロッドレンズアレイ２７の浮きを防止するための突起３１が、２箇所に形成されている。この突起３１は、図３にその断面が表れているように、上記溝状ホルダ部２８へのロッドレンズアレイ２７の挿入操作を阻害することがないように、適度な突出高さをもち、先端上方寄りにはテーパ面３１ａが形成されている。
【００２５】
上記導光部材２６は、上記ロッドレンズアレイ２７の光軸の延長上に存在する読み取りラインＬから側方に変位した位置において上記ヘッド基板２３に取付けられたＬＥＤチップ２５から発する光を、プリズム効果によって効率的に上記読み取りラインＬないしはその近傍領域に導くための部材である。この導光部材２６は、上記ＬＥＤチップ２５の配置と対応して開口する透光窓３２が形成された底壁３３と、ケース２１の一側内壁２１ａと、上記溝状ホルダ部２８の外壁２８ａとで囲まれた空間に嵌め込むようにして取付けられる。
【００２６】
図１に表れているように、上記導光部材２６の長手方向中間部の一側面には、係合突起３４が２箇所に形成されており、これに対応して、上記ケース２１の一側内壁２１ａには、上記係合突起３４が係合可能な係合凹部３５が形成されている。そして、この導光部材２６の両端部には、図１および図５に表れているように、上記ケースの一側内壁２１ａと上記溝状ホルダ部２８の外壁２８ａとの間に嵌合しうる所定の上下寸法を有する嵌合ブロック３６が一体に形成されており、この嵌合ブロック３６から、上記ロッドレンズアレイ２７の両端部上面を押圧するための押圧片３７が一体延出形成されている。また、上記嵌合ブロック３６の背面には、この嵌合ブロック３６を一定の摩擦力をもって上記ケース内壁２１ａと上記ホルダ部外壁２８ａとの間に嵌合保持させるための突起３８およびリブ３９が形成されている。
【００２７】
上記構成の密着型イメージセンサ２０は、次のようにして組み立てることができる。まず、ケース２１の溝状ホルダ部２８にロッドレンズアレイ２７を上から嵌め込む。このとき、溝状ホルダ部２８の内壁に形成した係合突起３１がロッドレンズアレイ２７の上面一縁に係合して、このロッドレンズアレイ２７の浮きを防止する。
【００２８】
次に、上記導光部材２６を、上記ケース内壁２１ａとホルダ部外壁２８ａとで囲まれた空間に上から嵌め込む。導光部材２６は、その中間部の一側面の係合突起３４がケース側の係合凹部３５に係合することと、上記嵌合ブロック３６が上記空間にぴったりと嵌まり込むことにより、浮きが生じるといったことなく、定位置に保持される。そうして、この導光部材２６の両端の嵌合ブロック３６に形成した押圧片３７が上記のロッドレンズアレイ２７の両端部上面を押圧する。これにより、ロッドレンズアレイ２７は、その長手方向中間部が上記係合突起３１によって押さえられ、長手方向両端部が上記導光部材２６の押圧片３７によって押さえられることにより、安定的かつ確実に定位置に保持される。
【００２９】
上記ガラスカバー２２は、上記ケース２１の上面開口に嵌め込むようにして、たとえば接着によって固定される。上記ヘッド基板２３は、上記ケース２１の下面開口に嵌め込むようにして、止め金具４０によって固定される。この止め金具４０は、図４に表れているように、バネ板部材を断面略Ｍ形に折曲形成したものであって、その脚部４０ａに形成した係合穴４１が、ケース２１の両側面に形成した係合突起４２に係合する。
【００３０】
上述のようにこの実施形態に係る密着型イメージセンサ２０は、ロッドレンズアレイ２７および導光部材２６の組立てが、接着剤や別途の固定部材や工具を全く必要とすることなく、単にケース２１内の所定部位に嵌め込むという操作をするだけで完了する。
【００３１】
また、この実施形態に係る密着型イメージセンサ２０は、複数のイメージセンサチップ２４が搭載されるヘッド基板２３と同一のヘッド基板上に、上記ガラスカバー２２上の原稿Ｄを照明するための複数のＬＥＤチップ２５が搭載されている。したがって、ＬＥＤチップ２５を搭載するための別途の基板が不要となり、全体として部品点数を削減することができるので、このことも密着型イメージセンサのコストダウンおよび組立て工数の削減に寄与する。
【００３２】
さらに、上記実施形態に係る密着型イメージセンサ２０においては、ヘッド基板２３は、上記ケース２１の下面に添着された状態において、止め金具４０によってケースに固定されているので、このヘッド基板２３もまた、接着やねじ等の煩雑な操作を必要とする固定手段を要することなく、簡便な操作によってケースの下面に固定される。
【００３３】
もちろん、この発明は上述した実施形態に限定されるものではない。ガラスカバー２２は、上述のように接着によってケース２１の上面開口に固定するほか、図６に示すように、ケース２１の両端に嵌合するキャップ状の固定金具４３によって固定することも可能である。
【図面の簡単な説明】
【図１】本願発明の一実施形態に係る密着型イメージセンサの部品を分解して示す斜視図。
【図２】上記密着型イメージセンサの部分平面図。
【図３】図１のIII −III 線断面図。
【図４】図１のIV−IV線断面図。
【図５】図１のＶ−Ｖ線断面図。
【図６】ケースにカバーガラスを固定するための他の手段を示す部分斜視図。
【図７】従来例の説明図。
【符号の説明】
２０  密着型イメージセンサ
２１  ケース
２２  ガラスカバー
２３  ヘッド基板
２４  イメージセンサチップ
２５  ＬＥＤチップ
２６  導光部材
２７  ロッドレンズアレイ
２８  溝状ホルダ部
３１  係合突起
３４  係合突起
３５  係合凹部
３６  嵌合ブロック
３７  押圧片
４０  止め金具
Ｄ    原稿
Ｌ    読み取りライン
【図１】
0003727718.tif 000002
【図２】
0003727718.tif 000003
【図３】
0003727718.tif 000004
【図４】
0003727718.tif 000005
【図５】
0003727718.tif 000006
【図６】
0003727718.tif 000007
【図７】
0003727718.tif 000008